(57)【要約】      （修正有）【課題】収容したカードをスキミングから有効に防止可能なカード入れを提供する。【解決手段】少なくともカード収容部３が片面に形成された主体部２を有する、磁気カード、ＩＣカード等の各種データが記憶されたカードを収容可能なカード入れ１において、前記主体部における前記カード収容部を形成した面若しくは反対側面又は内壁に、鉛製シートと該鉛製シートの少なくとも片面に備えた樹脂製シートとを具備した防護シート５を備えたことを特徴としており、これにより、防護シートの作用によって、カード収容部内に収容したカードをスキミングから有効に防止することが可能となる。【選択図】図２
0003111866.tif 000002
【実用新案登録請求の範囲】
【請求項１】
少なくともカード収容部（３）が片面に形成された主体部（２）を有する、磁気カード、ＩＣカード等の各種データが記憶されたカードを収容可能なカード入れにおいて、
前記主体部（２）における、前記カード収容部（３）を形成した面又は前記カード収容部（３）を形成した面の反対側面に、鉛製シート（５０１）と該鉛製シート（５０１）の少なくとも片面に備えた樹脂製シート（５０３）とを具備した防護シート（５）を、備えたことを特徴とするカード入れ。
【請求項２】
少なくともカード収容部（３）が片面に形成された主体部（２）を有する、磁気カード、ＩＣカード等の各種データが記憶されたカードを収容可能なカード入れにおいて、
前記カード収容部（３）内壁に、鉛製シート（５０１）と該鉛製シート（５０１）の少なくとも片面に備えた樹脂製シート（５０３）とを具備した防護シート（５）を、備えたことを特徴とするカード入れ。
【請求項３】
前記主体部（２）を二つ折自在にしたことを特徴とする請求項１又は請求項２に記載のカード入れ。
【請求項４】
前記主体部（２）とカード収容部（３）間に札収容部を介在させたことを特徴とする請求項１乃至請求項３に記載のカード入れ。
【請求項５】
前記樹脂製シート（５０３）は、バリウムを混入させた黒色ポリエチレンシートであることを特徴とする請求項１乃至請求項４に記載のカード入れ。
【考案の詳細な説明】
【技術分野】
【０００１】
本考案はカード入れに係り、より詳しくは、磁気カード、ＩＣカード等の各種データが記憶されたカードのスキミングを防止可能としたカード入れに関する。
【背景技術】
【０００２】
近年、銀行等のキャッシュカードやクレジットカード等にように、カード所有者の氏名、口座番号等の各種顧客データを記憶させたカードが普及しているが、最近は、このカードの情報を盗み取り（以下この行為を「スキミング」という。）、このスキミングした情報に基づいて偽造カードを作る犯罪が多発している。そして、スキミングの技術は常に進歩しており、最近では背広の上からでもスキミングが可能になってきているとも言われている。
【０００３】
そのために、各種カード会社等は、このスキミングの防止策として、暗証番号の変更を奨励しているが、暗証番号を変更することにより被害を減らすことができたとしても、スキミング自体を防止することはできない。
【０００４】
この点、従来から、金属製のカードケースが提供されており、このカードケースの中にカードを収容しておけばスキミングを防止することができるが、金属製のカードケースでは全体が重くならざるを得ないために、財布等と別個に所持するのは現実的ではない。
【考案の開示】
【考案が解決しようとする課題】
【０００５】
そこで、本考案は、スキミングを有効に防止可能なカード入れを提供することを課題としている。
【課題を解決するための手段】
【０００６】
請求項１に記載のカード入れは、少なくともカード収容部が片面に形成された主体部を有する、磁気カード、ＩＣカード等の各種データが記憶されたカードを収容可能なカード入れにおいて、前記主体部における、前記カード収容部を形成した面又は前記カード収容部を形成した面の反対側面に、鉛製シートと該鉛製シートの少なくとも片面に備えた樹脂製シートとを具備した防護シートを、備えたことを特徴としている。
【０００７】
請求項２に記載のカード入れでは、少なくともカード収容部が片面に形成された主体部を有する、磁気カード、ＩＣカード等の各種データが記憶されたカードを収容可能なカード入れにおいて、前記カード収容部内壁に、鉛製シートと該鉛製シートの少なくとも片面に備えた樹脂製シートとを具備した防護シートを、備えたことを特徴とするカード入れ。
【０００８】
請求項３に記載のカード入れでは、前記主体部を二つ折自在にしたことを特徴としている。
【０００９】
そして、請求項４に記載のカード入れでは、前記主体部とカード収容部間に札収容部を介在させたことを特徴としている。
【考案の効果】
【００１０】
本考案者の実験によれば、鉛製シートと樹脂製シートとを貼り合わせたシートを用いるとスキミングを防止できることが判明した。そのために、少なくともカード収容部が片面に形成された主体部を有するカード入れにおいて、主体部における、カード収容部を形成した面又は前記カード収容部を形成した面の反対側面に、鉛製シートとこの鉛製シートの少なくとも片面に備えた樹脂製シートとを具備した防護シートを備えた請求項１に記載のカード入れでは、有効にスキミングを防止することが可能である。
【００１１】
また、少なくともカード収容部が片面に形成された主体部を有するカード入れにおいて、前記カード収容部内壁に、鉛製シートとこの鉛製シートの少なくとも片面に備えた樹脂製シートとを具備した防護シートを備えた請求項２に記載のカード入れにおいても、有効にスキミングを防止することが可能である。
【考案を実施するための最良の形態】
【００１２】
請求項１記載のカード入れでは、少なくともカード収容部が片面に形成された主体部を有して構成されており、前記主体部におけるカード収容部を形成した面又はカード収容部を形成した面の反対側面には、鉛製シートとこの鉛製シートの少なくとも片面に備えた樹脂製シートとを具備した防護シートを備えている。
【００１３】
また、請求項２に記載のカード入れでは、少なくともカード収容部が片面に形成された主体部を有して構成されており、前記カード収容部の内壁面には、鉛製シートとこの鉛製シートの少なくとも片面に備えた樹脂製シートとを具備した防護シートを備えている。
【００１４】
ここで、請求項１に記載のカード入れ及び請求項２に記載のカード入れのいずれにおいても、主体部を二つ折自在にするとよく、これにより使い勝手も向上する。
【００１５】
また、請求項１乃至請求項３に記載のカード入れのいずれにおいても、主体部とカード収容部間に札収容部を介在させて、これによって札入れを兼用してもよい。
【００１６】
更に、防護シートを構成する樹脂製シートしては、バリウムを混入させた黒色ポリエチレンシートを用いるとよく、これによって、より効果的にスキミングを防止することが可能である。
【実施例１】
【００１７】
本考案のカード入れの実施例について図面を参照して説明すると、図１は、本実施例のカード入れを示す斜視図であり、また、図２は本実施例のカード入れの縦断側面図であり、図において１が本実施例のカード入れである。
【００１８】
そして、本実施例のカード入れ１は、皮革製、ビニール等樹脂製の主体部を備えており、即ち、図１において２が主体部であり、本実施例における主体部２は縦長の略長方形状としている。
【００１９】
また、この主体部２における片側面には、磁気カード、ＩＣカード等の各種データが記憶されたカードを収容可能としたカード収容部３が形成されている。そして、本実施例においては、略長方形状とした胴前部４を用いて、この胴前部４における左右の側縁と下縁を前記主体部３に貼り付け、あるいは縫い合わせることにより、前記主体部３の片側面に前記カード収容部３を形成している。
【００２０】
次に、図２において５は防護シートである。即ち、本実施例のカード入れ１においては、前記主体部２における、カード収容部３を形成した面に防護シート５を貼り合わせて構成されている。
【００２１】
ここで、前記防護シート５について説明すると、図３は前記防護シート５の構造を説明するための断面図であり、本実施例における防護シート５は、鉛製シートの表裏面に樹脂製シートを貼り合わせて構成されている。
【００２２】
即ち、図において５０１が鉛製シートであり、また、５０２及び５０３は、前記鉛製シート５０１の表裏面にそれぞれ貼り合わせた樹脂製シートである。そして、本実施例においては、鉛製のシート５０１の上面に貼り合わせた樹脂製シートとしては、乳白色のポリエチレンシート５０２を用いており、また、鉛製シート５０１の下面に貼り合わせたシート５０３としては、バリウムを混入させた黒色ポリエチレンシート５０３を用いている。更に、本実施例においては、前記乳白色のポリエチレンシート５０２の上面に、ポリエステル製のシート５０４を貼り合わせており、これにより防護シート５が構成されている。但し、防護シート５は必ずしもこのように構成する必要はなく、鉛製シート５０１の少なくとも片側面に樹脂製シートを貼り合わせてあればよい。
【００２３】
即ち、前述したように、本考案者の実験によると、このように、鉛製シートと樹脂製シートとを貼り合わせたシートを用いるとスキミングを防止できることが判明したため、鉛製のシート５０１の上面に乳白色のポリエチレンシート５０２を貼り合わせるとともに、この乳白色のポリエチレンシート５０２の上面にはポリエステル製のシート５０４を貼り合わせ、更に前記鉛製のシート５０１の下面には黒色ポリエチレンシート５０３を貼り合わせて構成されている防護シート５を用いて、この防護シート５を、主体部２におけるカード収容部３を形成した側面に張り合わせた本実施例のカード入れにおいては、例えば、カード収容部３内に磁気カード等を収容した状態において、カード収容部３側が体側に向くようにして本実施例のカード入れ１をポケット等に入れておくことで、カード収容部３に収容したカードをスキミングから有効に防止することができる。
【００２４】
なお、前述の例では、主体部２におけるカード収容部３を形成した側面に防護シートを張り合わせた場合を説明したが、この防護シート５を貼り合わせる面は必ずしもカード収容部３を形成した面には限定されず、例えば、カード収容部３を形成した面の反対側の面に防護シートを貼り合わせてもよい。
【実施例２】
【００２５】
次に、図４は、本考案のカード入れの他の実施例１１における縦断側面を示す図であり、本実施例のカード入れ１１では、カード収容部３の内壁に防護シート５を貼り合わせた形態としている。
【００２６】
そのために、本実施例においては、主体部２側のみならず胴前４側からのスキミングを防止することができ、従って、カード入れ１１の向きを気にすることなくこれをポケット等に入れておくことができる。
【実施例３】
【００２７】
次に、図５は、本考案のカード入れの他の実施例２１における斜視図を示す図であり、また図６は本実施例の縦断側面を示す図であり、本実施例のカード入れ２１では、ヒンジ部分２０１によって主体部２を折り曲げ自在にするとともに、ヒンジ部分２０１の両側にカード収容部３を備えた形態としている。
【００２８】
そして、図１に示したカード入れ１と同様に、主体部３におけるカード収容部３を形成した側に防護シート５を貼り合わせている。
【００２９】
そのために、本実施例においては、折り曲げた状態においてはカード収容部３内に収容したカードを両面側から防護することができ、従って、カード入れ２１の向きを気にすることなくこれをポケット等に入れておくことができる。
【００３０】
なお、本実施例では、主体部２におけるカード収容部３を形成した側面に防護シートを張り合わせた場合を説明したが、この防護シート５を貼り合わせる面は必ずしもカード収容部３を形成した面には限定されず、例えば、カード収容部３を形成した面の反対側の面に防護シートを貼り合わせてもよい。
【実施例４】
【００３１】
次に、図７は、本考案のカード入れの他の実施例３１における縦断側面を示す図であり、本実施例のカード入れ３１は、図５及び図６に示す第３実施例のカード入れ２１と同様に、ヒンジ部分２０１によって主体部２を折り曲げ自在にするとともにヒンジ部分２０１の両側にカード収容部３を備えた形態において、カード収容部３の内壁に防護シート５を貼り合わせた形態としている。
【００３２】
即ち、図５に示した形態のカード入れでは、主体部２を折り曲げた状態においてのみ、カード収容部３内に収容したカードの表裏面を同時に防護することができるが、図７に示したカード入れ３１では、主体部２を折り曲げていない状態においてもカードの表裏面を同時に防護することができるという利点がある。
【実施例５】
【００３３】
次に、図８は、本考案のカード入れの他の実施例４１における斜視図を示す図であり、また図９は本実施例のカード入れ４１の縦断側面を示す図であり、本実施例のカード入れ４１では、ヒンジ部分２０１によって主体部３を折り曲げ自在にするとともに、主体部２とカード収容部３との間に札収容部６を形成し、これにより、札入れとカード入れを兼用した形態としている。
【００３４】
そして、主体部３におけるカード収容部３を形成した側に防護シート５を貼り合わせ、これにより、カード収容部３内に収容したカードをスキミングから防護可能としている。
【００３５】
なお、本実施例では、主体部２におけるカード収容部３を形成した側面に防護シートを張り合わせた場合を説明したが、この防護シート５を貼り合わせる面は必ずしもカード収容部３を形成した面には限定されず、例えば、カード収容部３を形成した面の反対側の面に防護シートを貼り合わせてもよい。
【実施例６】
【００３６】
次に、図１０は、本考案のカード入れの他の実施例５１における縦断側面を示す図であり、本実施例のカード入れ５１は、主体部３を折り曲げ自在にするとともに主体部２とカード収容部３間に札収容部６を介在させたカード入れにおいて、カード収容部３の内壁に防護シート５を貼り合わせた形態としている。
【００３７】
そのために、本実施例のカード入れにおいては、札入れを兼用できるとともに、折り曲げていない状態においてもカード収容部３内に収容したカードをスキミングから防護することができる。
【産業上の利用可能性】
【００３８】
本考案のカード入れでは、スキミングを防止可能であることが判明した、鉛製シートとこの鉛製シートの少なくとも片面に備えた樹脂製シートとを具備した防護シートを用いて、この防護シートを、主体におけるカード収容部側若しくは反カード収容部側の面、又はカード収容部の内壁に貼り合わせ、これによりカード収容部内に収容したカードをスキミングから防護可能としているために、カードを収容する可能性のあるカードケース、鞄、袋物類の全般に適用可能である。
【図面の簡単な説明】
【００３９】
【図１】本考案のカード入れの第１実施例の斜視図である。
【図２】本考案のカード入れの第１実施例の縦断側面図である。
【図３】本考案のカード入れに用いる防護シートの構造を示す断面図である。
【図４】本考案のカード入れの第２実施例の縦断側面図である。
【図５】本考案のカード入れの第３実施例の斜視図である。
【図６】本考案のカード入れの第３実施例の縦断側面図である。
【図７】本考案のカード入れの第４実施例の縦断側面図である。
【図８】本考案のカード入れの第５実施例の斜視図である。
【図９】本考案のカード入れの第５実施例の縦断側面図である。
【図１０】本考案のカード入れの第６実施例の縦断側面図である。
【符号の説明】
【００４０】
１、１１、２１、３１、４１、５１    カード入れ
２    主体部
３    カード収容部
４    胴前部
５    防護シート
５０１    鉛製シート
５０２    乳白色のポリエチレンシート
５０３    黒色ポリエチレンシート
５０４    ポリエステル製のシート
６    札収容部
【図１】
0003111866.tif 000003
【図２】
0003111866.tif 000004
【図３】
0003111866.tif 000005
【図４】
0003111866.tif 000006
【図５】
0003111866.tif 000007
【図６】
0003111866.tif 000008
【図７】
0003111866.tif 000009
【図８】
0003111866.tif 000010
【図９】
0003111866.tif 000011
【図１０】
0003111866.tif 000012